(57)【要約】【課題】昆虫から保護すべき対象体の内部に昆虫が侵入するのを防止することができる昆虫の忌避用部品および昆虫の忌避方法を提供する。【解決手段】コネクタ１００に接続された複数の配線１０２に昆虫忌避用樹脂製品１０を巻きつけるようにして束線させる。これにより、複数の配線を１つにまとめることができると共に、樹脂から徐々に放出される昆虫忌避成分の効果によって配線１０２を介して侵入してくる昆虫から制御部品１０４を保護することができる。【選択図】  図１２
2004357553.tif 000002
【特許請求の範囲】
【請求項１】
昆虫から保護すべき対象体に対して適用される昆虫忌避用樹脂製品において、
昆虫忌避成分が樹脂に含有されてなり、
前記対象体の内部と外部とを仕切る仕切り部分にある、前記昆虫が当該対象体内に侵入する通路に対して適用可能な形体を備え、
前記昆虫忌避成分が前記樹脂から徐々に放出されることにより、前記領域を介して前記対象体の内部に前記昆虫が侵入するのを防止する
昆虫忌避用樹脂製品。
【請求項２】
前記通路としての、前記仕切り部分を貫通する孔に対して適応可能な形状から構成されてなり、当該孔に挿入される本体と、当該本体を前記仕切り部分に固定する手段とを備える請求項１記載の昆虫忌避用樹脂製品。
【請求項３】
前記固定手段は、前記本体の外周面に設けられた突起と、前記本体の一方の開口端に形成されたフランジとからなり、当該本体を前記孔内に押圧挿入した際、前記フランジと前記突起との間に前記孔を形成する仕切り部分が挟み込まれて前記本体が当該孔から抜け出し困難になるように、前記フランジと突起が構成されてなる請求項２記載の昆虫忌避用樹脂製品。
【請求項４】
前記本体は中空形状に構成されてなる請求項２又は３記載の昆虫忌避用樹脂製品。
【請求項５】
前記通路としての、前記仕切り部分に形成された隙間に適用可能な形状から構成されてなり、この隙間に臨む前記仕切り部分を嵌め込むための溝を備えた請求項１記載の昆虫忌避用樹脂製品。
【請求項６】
前記仕切り部分の形状に合わせて弾性変形可能な請求項５記載の昆虫忌避用樹脂製品。
【請求項７】
複数のスリットを備えた請求項５記載の昆虫忌避用樹脂製品。
【請求項８】
前記通路としての、前記対象体の内部に接続された長尺体に対して、巻き付き装着可能な形状に構成されてなる請求項１記載の昆虫忌避用樹脂製品。
【請求項９】
弾性変形可能ならせん状に形成されてなる請求項８記載の昆虫忌避用樹脂製品。
【請求項１０】
チューブ状に形成され、かつ、長手方向にスリットを有するとともに、当該スリットの部分で拡径変形して、内部に前記長尺体を弾性支持する請求項８記載の昆虫忌避用樹脂製品。
【請求項１１】
前記長尺体の回りに締結されるように構成された請求項８記載の昆虫忌避用樹脂製品。
【請求項１２】
複数の長尺体を束ねて当該長尺体に締結可能に構成された請求項８〜１１のいずれか１項記載の昆虫忌避用樹脂製品。
【請求項１３】
前記仕切り部分に固定される手段を備えた請求項１１又は１２記載の昆虫忌避用樹脂製品。
【請求項１４】
前記長尺体は前記対象体内部の回路に接続された導線である請求項８〜１３のいずれか１項記載の昆虫忌避用樹脂製品。
【請求項１５】
昆虫から保護すべき対象体の内部に昆虫が侵入する通路となる領域に、昆虫忌避成分を樹脂に含有させて成型された昆虫忌避用樹脂製品を配設し、
前記昆虫忌避成分が前記樹脂から徐々に放出されることにより、前記領域を介して前記対象体の内部に前記昆虫が侵入するのを防止する
昆虫の忌避方法。
【請求項１６】
前記領域としての孔に前記昆虫忌避用樹脂製品を装着する請求項１５記載の昆虫の忌避方法。
【請求項１７】
前記領域としての隙間に前記昆虫忌避用樹脂製品を配設する請求項１５記載の昆虫の忌避方法。
【請求項１８】
前記領域としての、前記対象体の内部に接続された長尺体に前記昆虫忌避用部品を巻き付ける請求項１５記載の昆虫の忌避方法。
【請求項１９】
請求項１５〜１８の何れか１項記載の方法に適用される前記昆虫忌避用樹脂製品。
【発明の詳細な説明】
【０００１】
【発明の属する技術分野】
本発明は、昆虫から保護すべき対象体に対して適用される昆虫忌避用樹脂製品に係わり、特に、ファイアーアント（米国等で生息する赤蟻）の被害から電気機器を守るための樹脂製品に関する。本発明は、さらにこの樹脂製品を利用した昆虫忌避方法にも関するものである。尚、本発明において、昆虫とは、蟻の他、クモ、ムカデ等の節足動物並びにこれらに類する害虫等、電気機器や人間等に害を与える可能性があるものが該当する。
【０００２】
【従来の技術】
従来の昆虫忌避用樹脂製品としては、例えば、ＵＳ２００２／０１３９０６１号公報に、節足動物の忌避剤が含有されたフレアスカートの形状の樹脂製品が開示されている（特許文献１）。この製品は昆虫に対して忌避効果がある成分を含んでいる。この製品を果実やナッツ等が実る植物の幹に取り付けると、そのスカートの形状と忌避剤との相加効果により、地面から幹を伝って這い上がってくる害虫、特にファイヤーアント（Ｔｈｅ  ｒｅｄ  ｉｍｐｏｒｔｅｄ  ｆｉｒｅ  ａｎｔｓ；  ＲＩＦＡ）が製品を越えて幹になる実まで行かないようにして、農作物の被害を防止することができる。
【０００３】
【特許文献１】
ＵＳ２００２／０１３９０６１号公報
【０００４】
【発明が解決しようとする課題】
しかしながら、昆虫による被害は、農作物のみならず密閉性が要求される機器や家屋等にも及んでいる。例えば、信号機の制御装置等、屋外に設置する必要がある機器、または、自動車、自動二輪車、トラクタ等、屋外で使用される機機器にアリ等の昆虫が侵入し、営巣を行うことがアメリカ南部を中心に多数報告されている。
【０００５】
餌もないはずの信号機の制御装置のような外部設置型の機器に昆虫が集まってくる理由は不明な点も多い。しかしながら、信号機の制御装置等の内部は雨風の影響を受けず、冬でも一定の温度が保持されている。更に、外敵から身を守ることもできる。そのため、昆虫にとって快適で安全な環境であると考えられる。
【０００６】
外部設置型の機器が昆虫の侵入によって故障する原因は種々あると考えられるが、概ね、以下のようなプロセスをたどる。例えば、体の小さいアリ等は、わずかな隙間から機器の内部に侵入し、配線を伝って制御回路にまで侵入することができるが、そのアリの多くは外に出られなくなり、機器の内部で死亡する。すると、アリの死骸からホルモン様物質が放出され、他のアリを誘導する要因となる。誘導されたアリは同様にして機器の隙間や配線を伝って制御回路に侵入し、外に出られなくなったアリは次々と死亡する。これが繰り返されることによってやがて制御回路が電気的にショートし、若しくは絶縁され、機器の故障に至るというものである。その被害額は、日本円にして年間８００〜１２００億円ともいわれている。
【０００７】
このような問題を解決するためには、単に防虫を目的とするのであれば、液体の防虫剤を散布したり、固形の防虫剤を設置することにより対応が可能である。しかしながら、これらの方法は、数日間から数週間程度の持続効果しか得られず、５年、１０年単位で使用される信号機の制御装置等の機器類では長期間の防虫効果が要求されるため、そのような方法は適切ではない。
【０００８】
また、防虫剤をヒーター等で加熱し、防虫剤を徐々に放出するような装置を用いて昆虫の侵入を防止することも考えられる。しかしながら、そのような装置を信号機の制御装置などの機器内部に設置するにはそのためのスペースが必要であるため、既存の信号機の制御装置などに適用するには制約が多い。更に、設備コストの面からも適切ではない。
【０００９】
一方、前出のファイヤーアントは農作物、機器類のみならず、人間に対しても被害を及ぼすことが知られている。人間がファイヤーアントに噛まれると、噛まれた部分が火傷をしたようにふくれて激しい痛みと痒みを伴う。なお、毒性を有する昆虫はその他にも数多く存在し、クモ、ムカデ等の節足動物や、いわゆる害虫と総称される小動物（蚊、蝿、ゴキブリ、シロアリ、ダニ、蚤、線虫）も毒性を有するものがある。そのため、自動車、自動二輪車、トラクタ等、人間が操作し且つ屋外に停車する機会が多い機器のほか、家、アパート、マンション、ビル、ホテル等の建物に昆虫が侵入しないよう、何らかの措置が必要とされている。
【００１０】
従って、本発明の目的は、昆虫から保護すべき対象体の内部に昆虫が侵入するのを防止することができる昆虫の忌避用部品を提供することにある。信号機等の電気機器は木の幹などに比較して複雑な形状をもっている。本発明の他の目的は、このような複雑な形状を持つ保護対象を昆虫の被害から簡単な操作によって防御できる樹脂製品を提供することにある。さらにまた、本発明は、昆虫から保護すべき対象体の内部に昆虫が侵入するのを防止する昆虫の忌避方法を提供することにある。
【００１１】
【課題を解決するための手段】
上記課題を解決するために、本発明は、昆虫から保護すべき対象体に対して適用される昆虫忌避用樹脂製品において、昆虫忌避成分が樹脂に含有されてなり、前記対象体の内部と外部とを仕切る仕切り部分にある、前記昆虫が当該対象体内に侵入する通路に対して適用可能な形体を備え、前記昆虫忌避成分が前記樹脂から徐々に放出されることにより、前記領域を介して前記対象体の内部に前記昆虫が侵入するのを防止することを特徴とする。
【００１２】
このような構成とすることにより、昆虫から保護すべき対象体への昆虫の侵入を未然に防止することができ、機器等や人間に与える被害の発生を未然に防止することができる。
【００１３】
また、前記昆虫忌避用樹脂製品は、前記通路としての、前記仕切り部分を貫通する孔に対して適応可能な形状から構成されてなり、当該孔に挿入される本体と、当該本体を前記仕切り部分に固定する手段とを備える。
【００１４】
このような構成とすることにより、例えば、機器や建物の壁面に形成された孔に昆虫忌避用樹脂製品を装着するだけで機器や建物への昆虫の侵入を未然に防止することができる。
【００１５】
また、前記固定手段は、前記本体の外周面に設けられた突起と、前記本体の一方の開口端に形成されたフランジとからなり、当該本体を前記孔内に押圧挿入した際、前記フランジと前記突起との間に前記孔を形成する仕切り部分が挟み込まれて前記本体が当該孔から抜け出し困難になるように、前記フランジと突起が構成される。また、前記本体は中空形状に構成することができる。
【００１６】
このような構成とすることにより、例えば、機器や建物に壁面を貫通する孔を設ける必要が生じた場合でも、昆虫の侵入を未然に防止することができる。また、屋外から機器や建物に導線を導く際に、導線を保護する機能と昆虫を忌避する機能の双方を兼ね備えることができる。
【００１７】
更に、前記本体の一方の開口部に前記孔を閉塞するための閉塞蓋を備えれば、機器や建物に壁面を貫通する孔を閉塞して昆虫の侵入を未然に防止するのみならず、前記昆虫忌避成分が前記樹脂から徐々に放出されることにより、昆虫忌避用樹脂製品と孔との間に多少の隙間が生じても昆虫の侵入を防止することができる。
【００１８】
また、前記昆虫忌避用樹脂部品は、前記通路としての、前記仕切り部分に形成された隙間に適用可能な形状から構成されてなり、この隙間に臨む前記仕切り部分を嵌め込むための溝を備えている。
【００１９】
このような構成とすることにより、例えば、機器や建物の壁面に形成された隙間に昆虫忌避用部品を装着するだけで機器や建物への昆虫の侵入を未然に防止することができる。また、前記機器や前記建物の突出部に昆虫忌避用部品を嵌め込むだけで、例えば、蓋と容器、ドアとドア枠、窓と窓枠のような関係にある部品と本体との間に形成された隙間を塞ぐ機能と昆虫を忌避する機能の双方を兼ね備えることができる。
【００２０】
また、前記昆虫忌避用樹脂部品は、前記仕切り部分の形状に合わせて弾性変形可能である。更に、複数のスリットを形成することがより好ましい。
【００２１】
このような構成とすることにより、湾曲した箇所にも昆虫忌避用樹脂製品を適用することが可能となる。また、前記溝の形状は、断面略コの字形状であることが好ましい。
【００２２】
また、前記昆虫忌避用樹脂部品は、前記通路としての、前記対象体の内部に接続された長尺体に対して、巻き付き装着可能な形状に構成されてなる。
【００２３】
このような構成とすることにより、例えば、昆虫が侵入するための通路となる長尺体に昆虫忌避用部品を巻き付けるだけで、昆虫が進入可能な隙間に到達する前に昆虫の侵入を防止することができる。
【００２４】
ここで、「長尺体」とは、配線、導線、コード、ケーブル、パイプ等、長手方向の長さ（Ｌ）が径断面の直径（Ｎ）よりも長く、Ｌ＞Ｎの関係が成立するものをいう。
【００２５】
また、前記昆虫忌避用樹脂製品は、弾性変形可能ならせん状に形成される。
【００２６】
このような構成とすることにより、例えば、複数の長尺体を束ねる機能と昆虫を忌避する機能の双方を兼ね備えることができる。また、前記昆虫忌避用樹脂製品はいわゆるスパイラル状を呈しているため、中心軸方向に収束する力が働く。そのため、ネジ等の固定手段を用いることなく長尺体に装着することができる。
【００２７】
また、前記昆虫忌避用樹脂製品は、チューブ状に形成され、かつ、長手方向にスリットを有するとともに、当該スリットの部分で拡径変形して、内部に前記長尺体を弾性支持する。
【００２８】
このような構成とすることにより、例えば、長尺体を包囲する機能と昆虫を忌避する機能の双方を兼ね備えることができる。また、前記昆虫忌避用樹脂製品はネジ等の固定手段を用いることなく長尺体に装着することができる。
【００２９】
また、前記昆虫忌避用樹脂製品は、前記長尺体の回りに締結されるように構成することができる。なお、複数の長尺体を束ねて当該長尺体に締結可能に構成することもできる。
【００３０】
このような構成とすることにより、例えば、複数の長尺体を一つに束ねる機能と昆虫を忌避する機能の双方を兼ね備えることができる。更に、前記仕切り部分に固定するための固定部を設けることにより、一つに束ねた長尺体を機器の壁面等に固定することもできる。なお、前記長尺体は前記対象体内部の回路に接続された導線である。
【００３１】
「昆虫から保護すべき対象体」とは、昆虫が内部に侵入することによって何らかの被害が発生する可能性のある工業製品全般を意味する。具体的には、リレーボックス、トランスボックス、通信用の中継ボックス、キュービクル、水道メータ、電気メータ、ガスメータ、自動販売機、陸および空輸を含む誘導等、信号機、農業用機械類、パソコン等の機器、機械、装置のほか、家屋、アパート、マンション、ビル、ホテル等の建築物が含まれる。
【００３２】
上記昆虫忌避用樹脂製品の形状は、使用場所に応じて適宜変更することができる。例えば、機器の壁面の形状に合わせてシート状に形成することもできる。その際、前記シート状の昆虫忌避用樹脂製品は当該部品の端部から中心にかけてスリットを形成し、平面の一部に突設された物体を回避して配設することもできる。
【００３３】
また、本発明は、昆虫から保護すべき対象体の内部に昆虫が侵入する通路となる領域に、昆虫忌避成分を樹脂に含有させて成型された昆虫忌避用樹脂製品を配設し、前記昆虫忌避成分が前記樹脂から徐々に放出されることにより、前記領域を介して前記対象体の内部に前記昆虫が侵入するのを防止する昆虫の忌避方法を提供するものである。
【００３４】
このような構成とすることにより、例えば、屋外の据え置き型電気機器、通信用の中継ボックス、自動車、家の玄関のドア、窓枠など、昆虫の侵入を防止したい所に昆虫忌避用部品を配設するだけで、容易に防虫対策が可能となる。なお、配設の方法に特に制限はなく、嵌合、係合、貼付、配置等、いずれの手段でもよい。
【００３５】
また、前記領域が前記対象体に形成された孔である場合は、前記領域としての孔に前記昆虫忌避用樹脂製品を装着することにより、例えば、前記昆虫が前記孔を介して機器や建築物に侵入しないようにすることができる。
【００３６】
また、前記領域が前記対象体に形成された隙間である場合は、前記領域としての隙間に前記昆虫忌避用樹脂製品を配設することにより、例えば、前記昆虫が前記隙間を介して機器や建築物に侵入しないようにすることができる。
【００３７】
また、前記領域が前記対象体に接続されている長尺体である場合は、前記領域としての、前記対象体の内部に接続された長尺体に前記昆虫忌避用部品を巻き付けることにより、例えば、機器や建築物に前記昆虫が前記長尺体を介して侵入しないようにすることができる。
【００３８】
また、本発明は、上記の何れかの方法に適用される昆虫忌避用樹脂製品を提供するものである。これについては後述する。
【００３９】
次に、昆虫忌避成分について説明する。昆虫忌避成分としては、昆虫の除去活性を有する化合物であり、昆虫忌避活性を有する化合物、殺傷昆虫活性を有する化合物、昆虫の摂食阻害活性、昆虫の成長コントロール活性を有する化合物等を挙げることができる。
【００４０】
具体的には、ピレスロイド系化合物、カーバメート系化合物、有機リン系化合物及びこれらの異性体、誘導体、類縁体その他昆虫の成長をコントロールする活性を有する化合物等を挙げることができる。
【００４１】
また、かかる昆虫忌避成分が含有される製品を構成する樹脂としては、ポリアセタール樹脂、ポリアミド樹脂、アクリロニトリル・ブタジエン・スチレン共重合体（ＡＢＳ樹脂）、ポリスチレン（ＰＳ）、ポリエチレン（ＰＥ）、ポリプロピレン（ＰＰ）、ポリカーボネート（ＰＣ）、塩化ビニル樹脂（ＰＶＣ）、ポリブチレンテレフタレート（ＰＢＴ）、ポリエチレンテレフタレート（ＰＥＴ）、ポリフェニレンオキシド（ＰＰＯ）、およびこれらの樹脂にエストラマーを混合した熱可塑性エストラマーの少なくとも１種の樹脂が選択される。さらに、この樹脂に対して昆虫忌避成分を溶解保持し、徐放性を付与する作用を有するための化合物を含めることがより好ましい。
【００４２】
徐放性を有する化合物としては、例えば、スルホンアミド誘導体、スルホン酸エステル誘導体、カルボン酸アミド誘導体、カルボン酸エステル誘導体より選ばれる少なくとも１種の化合物を挙げることができる。
【００４３】
このように、徐放性を有する化合物を樹脂に含有させることにより、樹脂から上記忌避剤を長期間にわたり放出することが可能となる。例えば、本発明に係る昆虫忌避用樹脂製品の昆虫の忌避効果は約１０年間持続させることが可能となる。
【００４４】
以上の昆虫忌避成分を含有する樹脂の成形は、射出成形等の公知の成形方法により成形することができる。
【００４５】
【発明の実施の形態】
次に、本発明の昆虫忌避用樹脂製品および昆虫忌避方法について、図を参照しつつ更に詳細に説明する。
【００４６】
（実施形態１）
本発明の実施形態１に係る昆虫忌避用樹脂製品４６の斜視図を図１に示す。実施形態１に係る昆虫忌避用樹脂製品４６は、略円形の中空形状の本体５０と、本体５０の一方の開口端に、本体５０よりも直径が大きく張り出して形成されたフランジ５２を有している。また、本体５０の外周面には鉤型形状の突起４８を有している。
【００４７】
突起４８は、昆虫忌避用樹脂製品４６の本体５０を対象体の内部と外部とを仕切る仕切り部分を貫通する孔に挿入したときに、突起４８が孔を構成する仕切り部分の内側壁に係止される。その際、壁の厚さは機器により異なるため、これに対応するために、突起４８は、左右異なる形状の係止段を有し、前記内側壁はこの係止段で係止される。
【００４８】
実施形態１に係る昆虫忌避用樹脂製品４６の使用態様の一例を図１４に示す。図１４はリレーボックス１１６の一例であり、（Ａ）が扉１１８を閉じた状態、（Ｂ）が扉１１８を開いた状態をそれぞれ示している。
【００４９】
リレーボックス１１６にはコード１２０ａが接続されているが、外側壁１２２にはコード１２０ａをリレーにまで導くための通路としての孔が形成されている。そして、その孔には、コード１２０ａを側壁１２２との摩擦から保護も兼ねて、実施形態１に係わる昆虫忌避用樹脂製品４６が嵌めこまれている。
【００５０】
昆虫忌避用樹脂製品４６を孔に装着する際には、本体５０を孔内に押圧しながら挿入し、昆虫忌避用樹脂製品４６の外周面に設けられた突起４８が、外側壁１２２の裏側にある内側壁（図示せず）においてこれと係合する。また、フランジ５２が外側壁１２２に当接することによって本体５０を孔の回りの壁に固定している。この昆虫忌避用樹脂製品４６により、アリ等の昆虫が孔を伝わって機器内に侵入しないようにした。
【００５１】
（実施形態２）
本発明の実施形態２に係る昆虫忌避用樹脂製品５４の斜視図を図２に示す。実施形態２に係る昆虫忌避用樹脂製品５４は、実施形態１のフランジ５２に代えて、孔を閉塞するための閉塞蓋５６が形成された点のみが実施例１とは異なる。
【００５２】
実施形態２に係る昆虫忌避用樹脂製品５４の使用態様の一例を図１４に示す。例えば、リレーボックス１１６の外側壁１２２にはコード等の導線を挿通するための予備の孔が設けられている場合がある。その孔は、必要に応じて使用されたり使用されなかったりするが、使用されない場合は昆虫がリレーボックス１１６内に侵入しないようにこれを閉塞する必要がある。その際、実施形態２に係る昆虫忌避用樹脂製品５４を予備の孔に嵌めて使用することにより、アリ等が予備の孔を介してリレーボックス１１６内に侵入するのを未然に防止することができる。
【００５３】
（実施形態３）
本発明の実施形態３に係る昆虫忌避用樹脂製品５８の斜視図を図３に示す。実施形３に係る昆虫忌避用樹脂製品５８は、その断面が略コの字形状であって、昆虫からが内部に入り込む隙間に臨む対象体の縁部が挿入可能な開放端部６０とその底部６２とから構成される溝を有している。
【００５４】
例えば、開放端部６０を機器の縁部にに挿入すると、昆虫忌避用樹脂製品５８本体の可撓性により開放端部６０が拡がり、弾性変形してその溝部に機器の縁部が嵌め込まれることになる。これにより、昆虫が侵入可能な隙間に昆虫忌避用製品が露出するとともに、時として、この製品がこの隙間を塞いで密閉性を高めると共に、昆虫忌避成分が昆虫忌避用樹脂製品５８から徐々に放出されて、隙間を介して昆虫が機器に入り込むのを防止することができる。なお、開放端部６０の間隔を適宜調整することにより、昆虫忌避用樹脂製品が機器等の突出部に嵌め込まれる際の強度を調整することができる。
【００５５】
（実施形態４）
本発明の実施形態４に係る昆虫忌避用樹脂製品６２の斜視図を図４に示す。実施形４に係る昆虫忌避用樹脂製品５８は、開放端部６０から底部６２に向けて複数のスリット６６が形成されている点が実施例３とは異なる。これにより、機器の縁部が湾曲していても、この湾曲形状に合わせて変形可能であるために、湾曲した縁部を溝部内に収容することが可能となる。
【００５６】
（実施形態５）
本発明の実施形態５に係る昆虫忌避用樹脂製品６８の斜視図を図５に示す。実施形５に係る昆虫忌避用樹脂製品６８は、開放端部６０から底部６２にかけて複数のスリット７０が形成されている点のみが実施例３とは異なる。これにより、底部６２を円弧の内周面とした円弧形状を形成することが可能となり、湾曲した箇所にも昆虫忌避用樹脂製品６２を適用することができる。また、開放端部６０が実施形態４のものよりも狭いため、より強く対象体の突出部に嵌めることが可能となる。
【００５７】
（実施形態６）
本発明の実施形態６に係る昆虫忌避用樹脂製品７２の斜視図を図６に示す。実施形６に係る昆虫忌避用樹脂製品７２は、開放端部６０から底部６２に向けて、実施形態４及び５よりも幅の広い複数のスリット７４が形成されている。これにより、湾曲の自由度が更に高まり、鋭角に湾曲した部分にも昆虫忌避用樹脂製品６８を適用することができる。
【００５８】
実施形態６に係る昆虫忌避用樹脂製品７２の使用態様の一例を図１３及び図１４に示す。実施形態６に係る昆虫忌避用樹脂製品７２は、例えば、図１３の信号制御機１０６の蓋１０８と本体１１４が当接する突出部分１２３に嵌め込まれる。また、本実施形態の昆虫忌避用樹脂製品７２は湾曲の自由度が高いため、図１３（Ｂ）の保護部材１１０で被覆されたケーブル１１２の地上出入り口１２４の円周の突出部分に沿って配設することもできる。なお、直線的な部分には実施形態３〜５のいずれの形態の昆虫忌避用樹脂製品を使用することが可能である。
【００５９】
（実施形態７）
本発明の実施形態７に係る昆虫忌避用樹脂製品１０の斜視図を図７示す。図に示すように、実施形態７の昆虫忌避用樹脂製品１０は弾性変形可能ならせん形状を有している。一方の端部１０ａを固定し、他方の端部１０ｂを時計回り方向に回転させると、中心軸方向に収束する弾性力が解放され、昆虫忌避用樹脂製品１０の内径が拡大する。その状態で他方の端部１０ｂを開放すると、昆虫忌避用樹脂製品１０の中心軸方向に収束する弾性力が働き、昆虫忌避用樹脂製品１０の内径が縮小する。このような性質を利用して、複数の配線を束ねたり、柱状の部材に巻きつけることができる。
【００６０】
その一例として、複数の配線を束ねた例を図１２に示す。図１２に示すように、コネクタ１００に接続された複数の配線１０２に実施形態７の昆虫忌避用樹脂製品１０を巻き付けて弾性的に装着している。なお、コネクタ１００は、その内部に電子回路を有している。
【００６１】
これにより、複数の配線を１つにまとめることができると共に、この昆虫忌避用樹脂製品１０から昆虫忌避成分を徐々に放出させて、配線１０２を介して機器内に侵入してくる昆虫から制御部品１０４を保護することができる。
【００６２】
従来は、アリ等が配線１０２を介し、コネクタ１００を通って、機器の制御部分を司る制御部品１０４の中に侵入してきた。そのアリ等が、制御部品１０４の中から外に出ることができず死骸となってフェロモン様物質を放出し、それに誘導されて他のアリが次々と侵入した。その結果、制御部品１０４の内部の制御回路（図示せず）が電気的にショートし、若しくは断線し、機器の故障の原因となっていた。しかしながら、実施形態７の昆虫忌避用樹脂製品１０によれば、配線１０２を通路として侵入を試みる昆虫を排除することができるため、制御部品１０４の障害を未然に防止することができる。
【００６３】
他の例として、柱状の部材に実施形態１の昆虫忌避用樹脂製品１０を巻き付けた例を図１３（Ｂ）示す。図１３（Ｂ）は、屋外に設置された信号制御機１０６の蓋１０８を開け、内部が見える状態になったものを示したものである。なお、通常は蓋１０８が閉じられており、図１３（Ａ）に示す状態で設置されている。
【００６４】
信号制御機１０６に接続されたケーブル１１２は、一旦地下を通って再び地上に導かれ、信号機（図示せず）に接続されている。通常、ケーブル１１２は円柱形状の保護部材１１０で保護されているが、地下の保護部材１１０を通路として侵入したアリ等が信号制御機１０６内に侵入し、信号制御機１０６の障害の原因となる恐れがある。そこで、保護部材１１０に実施形態７の昆虫忌避用部材１０を巻きつけることによって信号制御機１０６内にアリ等が保護部材１１０を介して侵入しないようにしたものである。
【００６５】
更に、他の例を図１４に示す。図１４はリレーボックス１１６の一例であり、（Ａ）が扉１１８を閉じた状態、（Ｂ）が扉１１８を開いた状態をそれぞれ示している。リレーボックス１１６には、外部と接続されるコード１２０ａやリレーボックス１１６の内部で接続されるコード１２０ｂ〜１２０ｄなど、導線が多数存在する。実施形態７の昆虫忌避用樹脂製品１０’は適宜設計変更が可能であり、図のような比較的細いコード１２０ａ〜１２０ｄに対しても適用することができる。
【００６６】
また、コード１２０ａが実施形態１に係る昆虫忌避用樹脂製品４６に接することなく内部に接続されている場合であっても、コード１２０ａに昆虫忌避用樹脂製品１０’を装着していれば、導線を伝って機器の内部に侵入するのを未然に防止することができる。
【００６７】
（実施形態８）
本発明の実施形態８に係る昆虫忌避用樹脂製品１１の斜視図を図８に示す。実施形態８に係る昆虫忌避用樹脂製品１１は、凸部１３と凹部１５とからなる蛇腹を有し、さらに昆虫忌避用樹脂製品１１の長手方向に形成されたスリット１７を有している。なお、昆虫忌避用樹脂製品１１の本体は可撓性であり、スリット１７の部分を押し広げて拡径変形させ、コード等の長尺体に弾性的に固定することができる。
【００６８】
（実施形態９）
本発明の実施形態９に係る昆虫忌避用樹脂製品１２の斜視図（Ａ）と正面図（Ｂ）を図９に示す。実施形態９に係る昆虫忌避用樹脂製品１２は、略Ｃ字型の湾曲部１４を形成し、湾曲部１４の両端部には雄係合部１６と雌係合部１８が形成されている。また、雄係合部１６と雌係合部１８には、それぞれ操作片２０と係止段２２が形成されている。
【００６９】
ケーブル、コード等の導線を束ねる際は、操作片２０を指で押して雄係合部１６の係止段２２と雌係合部１８の係止段２２が不可逆的に係合することによって、導線に締結することができる。
【００７０】
なお、湾曲部１４の底部に、図示しない固定部を設け、結束したケーブル等を壁に固定することもできる。固定部については後述する。
【００７１】
（実施形態１０）
本発明の実施形態１０に係る昆虫忌避用樹脂製品２４の斜視図を図１０に示す。実施形態１０に係る昆虫忌避用樹脂製品２４は、帯状の弾性帯２６を形成し、その略中央部には係止段２８が形成されている。なお、この係止段２８の長手方向の長さや幅方向の長さは適宜変更が可能である。弾性帯２６の基端には支持本体３０を有し、その支持本体３０には係合爪を内部に有した他の係合部３２が形成されている。
【００７２】
導線を束ねる際は、弾性帯２６の先端に延設された操作部３４を他の係合部３２に挿通して弾性帯２６の係止段２８と他の係合部３２の係止爪が不可逆的に係合することによって、導線に締結される。
【００７３】
また、支持本体３０の下部には粘着層３４を有する固定部３６が形成されている。これにより、束線した導線を、例えば機器内の壁面に固定することができる。
【００７４】
（実施形態１１）
本発明の実施形態１１に係る昆虫忌避用樹脂製品４０の斜視図を図１１に示す。実施形態１１は、実施形態１０の固定部３８に代えて、矢じり形状の弾性逆止片４２と、弾性逆止弁４２とは反対側の壁に当接し壁を押圧する付勢部４４とから構成される点のみが実施形態１０とは異なる。
【００７５】
これにより、例えば機器内の壁面の固定孔（図示せず）を貫通して昆虫忌避用樹脂製品を壁に固定するとともに、弾性逆止片４２が壁から脱落するのを防ぎ、付勢部４４が弾性逆止弁４２とは反対側の壁面に当接し、当該壁面を押圧することで昆虫忌避用樹脂製品４０を安定に保持することができる。
【００７６】
（実施形態１２）
その他の実施形態として、昆虫忌避用樹脂製品を薄膜のシート状に形成したものを作成し、配設する場所に応じて適宜大きさを変更することができるものがある。例えば、図１３（Ｂ）の蓋１０８の内側にシート状の昆虫忌避用樹脂製品を貼付したり、帯状に形成した昆虫忌避用樹脂製品を本体１１４の縁部に貼付することができる。
【００７７】
また、図１４（Ｂ）の扉１１８の内側にシート状の昆虫忌避用樹脂製品を貼付したり、扉１１８と当接する本体壁１２６の形状に合わせて形成したシート状の昆虫忌避用樹脂製品を貼付することもできる。
【００７８】
更に、シート状の昆虫忌避用樹脂製品にスリットを入れ、地上出入り口１２４の形状に合わせて円形の切り込みを入れれば、図１３（Ｂ）に示す地面Ｇを覆うように昆虫忌避用樹脂製品を配設することもできる。
【００７９】
【発明の効果】
本発明の昆虫忌避用樹脂製品およびそれを用いた昆虫の忌避方法によれば、昆虫から保護すべき対象体への昆虫の侵入を防止することができ、昆虫による機器の障害や人間への被害を防止することができる。
【００８０】
また、本発明の昆虫忌避用樹脂製品およびそれを用いた昆虫の忌避方法によれば、既存の機器類に対しても適用が可能であり、また、種々の形状に変形することが可能であるため応用範囲が広い。更に、昆虫に対する忌避効果が長期間持続させることができるため、コストをかけずに防虫対策を行うことができる。
【図面の簡単な説明】
【図１】本発明の実施形態１に係る昆虫忌避用樹脂製品４６の斜視図である。
【図２】本発明の実施形態２に係る昆虫忌避用樹脂製品５４の斜視図である。
【図３】本発明の実施形態３に係る昆虫忌避用樹脂製品５８の斜視図である。
【図４】本発明の実施形態４に係る昆虫忌避用樹脂製品６４の斜視図である。
【図５】本発明の実施形態５に係る昆虫忌避用樹脂製品６８の斜視図である。
【図６】本発明の実施形態６に係る昆虫忌避用樹脂製品７２の斜視図である。
【図７】本発明の実施形態７に係る昆虫忌避用樹脂製品１０の斜視図である。
【図８】本発明の実施形態８に係る昆虫忌避用樹脂製品１１の斜視図である。
【図９】本発明の実施形態９に係る昆虫忌避用樹脂製品１２の斜視図（Ａ）と正面図（Ｂ）である。
【図１０】本発明の実施形態１０に係る昆虫忌避用樹脂製品２４の斜視図である。
【図１１】本発明の実施形態１１に係る昆虫忌避用樹脂製品４０の斜視図である。
【図１２】実施形態１０の昆虫忌避用樹脂製品１０の使用状態を示す図である。
【図１３】屋外に設置された信号制御機１０６の一例であり、（Ａ）が蓋１０８が閉じられた状態、（Ｂ）が蓋１０８が開けられた状態を示す図である。
【図１４】リレーボックス１１６の一例であり、（Ａ）が扉１１８を閉じた状態、（Ｂ）が扉１１８を開いた状態を示す図である。
【符号の説明】
１０ａ，１０ｂ：端部、１６：雄係合部、１８：雌係合部、２０：操作片、２２，２８：係止段、２６：弾性帯、３０：支持本体、３４：操作部、３８：固定部、４２：弾性逆止片、４４：付勢部、４８：嵌合突起、５０：本体、５２：フランジ、５６：閉塞蓋、６０：開放端部、６２：底部、６６，７０：スリット
【図１】
2004357553.tif 000003
【図２】
2004357553.tif 000004
【図３】
2004357553.tif 000005
【図４】
2004357553.tif 000006
【図５】
2004357553.tif 000007
【図６】
2004357553.tif 000008
【図７】
2004357553.tif 000009
【図８】
2004357553.tif 000010
【図９】
2004357553.tif 000011
【図１０】
2004357553.tif 000012
【図１１】
2004357553.tif 000013
【図１２】
2004357553.tif 000014
【図１３】
2004357553.tif 000015
【図１４】
2004357553.tif 000016